(57)【要約】【課題】非ダイバーシティ状態に切り替えたときに想定よりも品質が劣悪で再度ダイバーシティ状態に切り替えるようなトグル動作を回避でき、受信品質測定部、比較部の削減が可能となる通信装置、通信方法、及びプログラムを提供すること。【解決手段】第１、第２のアンテナ１０１，１０２で受信した信号を復調し受信信号に基づいてデジタルベースバンド信号を出力する第１、第２の受信部１２１、１２２と、両デジタルベースバンド信号をダイバーシティ合成するベースバンド処理部１８１と、第１の受信部１２１における受信品質を測定し、受信品質情報を出力する受信品質測定部１３１と、第２の受信部１２２へ電力供給を行う電源部１６１と、前記受信品質測定部１３１が出力する受信品質情報に基づき、前記電源部１６１から前記第２の受信部１２２へ供給する電力を決定する供給電力決定部１４２を具備する。【選択図】図１
2009033532.tif 000002
【特許請求の範囲】
【請求項１】
第１の受信部と、
第１の受信部に接続される第１のアンテナと、
第２の受信部と、
第２の受信部に接続される第２のアンテナと、
前記第１の受信部と前記第２の受信部からそれぞれ出力されるデジタルベースバンド信号を入力してダイバーシティ合成するベースバンド処理部と、
を有する通信装置において、
前記第１の受信部における受信品質を測定し、受信品質情報を出力する受信品質測定部と、
前記第２の受信部へ電源供給を行う電源部と、
前記受信品質測定部が測定した前記受信品質情報に基づき、前記電源部から前記第２の受信部へ供給する電流を決定する供給電力決定部と、
を具備することを特徴とする通信装置。
【請求項２】
前記供給電力決定部は、前記受信品質情報が受信品質基準値よりも悪い場合には、前記電源部から前記第２の受信部へ供給する電流を増加させることを特徴とする請求項１に記載の通信装置。
【請求項３】
前記供給電力決定部は、前記第２の受信部へ供給する電流の決定方法を複数有しており、
前記供給電力決定部が有する複数の決定方法のうち、いずれの決定方法を用いるかを選択する方法選択部を具備することを特徴とする請求項１または請求項２に記載の通信装置。
【請求項４】
前記受信品質測定部は、前記第１および第２の受信部における受信品質を測定し、
前記供給電力決定部は、前記第１もしくは第２の受信部の受信品質情報と受信品質基準値を比較して、この比較に用いた受信品質情報の受信部ではない、他方の受信部への電力供給を決定する決定方法と、前記第１もしくは第２の受信部の受信品質情報各々と受信品質基準値を比較して、前記第１および前記第２の受信部への電力供給を決定する決定方法とを有し、
前記方法選択部は、前記第１と第２の受信部へ供給している電流に応じて、前記供給電力決定部が有する決定方法のうち、いずれを用いるかを決定することを特徴とする請求項３に記載の通信装置。
【請求項５】
前記供給電力決定部は、前記受信品質情報と受信品質基準値とを比較し、その大小関係に基づき前記第２の受信部に供給する電流を決定する決定方法であって、前記受信品質基準値が各々異なる複数の決定方法を有しており、
前記方法選択部は、前記第１のアンテナ及び前記第２のアンテナが受信している信号が、受信状態が悪いと受信電力が大きくなるよう送信電力制御がなされている信号のときは、前記供給電力決定部が用いる決定方法を、それ以外のときよりも劣悪な受信品質基準値の決定方法に決定することを特徴とする請求項３に記載の通信装置。
【請求項６】
前記供給電力決定部は、前記受信品質情報と受信品質基準値とを比較し、その大小関係に基づき前記第２の受信部に供給する電流を決定する決定方法であって、前記受信品質基準値が各々異なる複数の決定方法を有しており、
前記方法選択部は、間欠受信しているときは、前記供給電力決定部が用いる決定方法を、それ以外のときよりも劣悪な受信品質基準値の決定方法に決定することを特徴とする請求項３に記載の通信装置。
【請求項７】
さらに前記ベースバンド処理部から送出される信号を前記第１のアンテナから送信する送信部を有することを特徴とする請求項３に記載の通信装置。
【請求項８】
前記受信品質測定部は、前記第１の受信部に加えて、前記第２の受信部における受信品質を測定し、受信品質情報を出力し、
前記供給電力決定部は、第１の受信部への電力供給のみを決定する決定方法、第２の受信部への電力供給のみを決定する決定方法、第１および第２の受信部への電力供給を決定する決定方法を有し、
前記方法選択部は、第１および第２の受信部への電力供給状態と前記送信部の信号の送出状態とに基づき、前記供給電力決定部が有する決定方法のいずれを用いるかを選択することを特徴とする請求項７に記載の通信装置。
【請求項９】
前記供給電力決定部は、前記受信品質情報と受信品質基準値とを比較し、その大小関係に基づき前記第２の受信部に供給する電流を決定する決定方法であって、前記受信品質基準値が各々異なる複数の決定方法を有しており、
前記方法選択部は、前記決定方法の中から、移動速度に応じて決定方法を選択し、前記供給電力決定部に該選択した決定方法の使用を指示することを特徴とする請求項３に記載の通信装置。
【請求項１０】
さらに、移動速度検出部を有し、
前記方法選択部は、前記移動速度検出部から得られる移動速度が速くなるほど、前記受信品質基準値が良好な決定方法の使用を、前記供給電力決定部に指示することを特徴とする請求項９に記載の通信装置。
【請求項１１】
前記受信品質測定部は、所定の期間の受信品質を平均化した値を受信品質情報として出力することを特徴とする請求項３から請求項１０のいずれかの項に記載の通信装置。
【請求項１２】
前記受信品質基準値は、アンテナ表示を変更する基準値と同等もしくはより良好な値とすることを特徴とする請求項３から請求項１１のいずれかの項に記載の通信装置。
【請求項１３】
前記受信品質基準値は、前記受信品質測定部が判定し得る受信品質情報のうち最も良い状態であることを特徴とする請求項３から請求項１２のいずれかの項に記載の通信装置。
【請求項１４】
前記第２の受信部は、前記供給電力決定部が、前記電源部から前記第２の受信部へ供給する電流を増加させることを決定し、前記第２の受信部へ供給する電流が増加すると、パスサーチを行い、
前記ベースバンド処理部は、前記第２の受信部のパスサーチ結果を用いてダイバーシティによる受信品質の向上量を推定し、該推定した向上量が所定の閾値に満たないときは、前記電源部から前記第２の受信部へ供給する電流を減少させること
を特徴とする請求項２に記載の通信装置。
【請求項１５】
第１のアンテナで受信した信号を第１の受信部により復調するデジタルベースバンド信号と、第２のアンテナで受信した信号を第２の受信部により復調するデジタルベースバンド信号と、をベースバンド処理部によりダイバーシティ合成する通信方法であって、
前記ベースバンド処理部を介し、第１の受信部に受信信号の品質を測定しうる信号を信品質測定部に入力して受信品質情報を得て、さらに該受信品質情報に基づき前記電源部から前記第２の受信部へ供給する電力を供給電力決定部で決定し、前記ベースバンド処理部が、供給電力決定部の決定報告に基づいて、最大比合成ダイバーシティが不要であるは必要であるかを判断し、最大比合成ダイバーシティが必要なときは電源部から第２の受信部の電源供給を開始し、不要なときは電源供給を遮断するように制御することを特徴とする通信方法。
【請求項１６】
第１のアンテナで受信した信号を第１の受信機部で復調処理して出力するデジタルベースバンド信号をベースバンド処理するステップと、第１のアンテナに対する受信信号の品質を測定しうる信号を受信品質測定部に送り、該受信品質測定部にて受信信号情報を得るステップと、前記受信信号情報を供給電力決定部に送り受信品質基準値と比較して得られた受信品質比較結果を入力して受信品質比較結果を判断するステップと、最大比合成ダイバーシティが不要であると判断するときは、第２の受信部に関するベースバンド処理を停止するステップと、その後第２の受信部への電源供給を断つステップと、最大比合成ダイバーシティが必要なときは電源部から第２の受信部の電源供給を開始し、その後、第２の受信部の動作を開始させるステップと、を備えたことを特徴とするプログラム。
【発明の詳細な説明】
【技術分野】
【０００１】
本発明は、通信装置、通信方法、及びプログラム、特に、ダイバーシティ受信制御を行う通信装置、通信方法、及びプログラムに関する。
【背景技術】
【０００２】
送信装置からの送信信号を受信する移動通信装置においては、前記送信装置との相対位置の変動によりレイリーフェージングを発生し、受信信号の位相、振幅が大きく変動する。そして、移動通信装置は、このような変動を伴う受信信号を受信して信号振幅が大きく落ち込むような状態となると、特性が大幅に劣化し、復調処理をうまく行えない問題を生じてしまう。
【０００３】
このようなレイリーフェージングへの対策として、各種手法が提案されており、その中の１つに、移動通信装置（受信装置）側で複数のアンテナを使用することで空間ダイバーシティ効果を得る手法がある。
空間ダイバーシティとは、一方のアンテナからの受信信号の振幅が大きく落ち込んだ場合に、他方のアンテナを利用して復調を行うというものであり、これは、アンテナ間の空間的相関が低くなるとその受信電界強度は独立に変動する、という特性を利用している。
【０００４】
複数のアンテナの利用方法として、選択ダイバーシティ、合成ダイバーシティ等がある。選択ダイバーシティは、複数のアンテナと共通の（単一の）受信部を備え、複数のアンテナで受信し、受信信号の振幅が大きく得られる方のアンテナを選択し、共通の受信部で前記選択したアンテナからの受信信号の復調処理を行うものである。従って、アンテナ選択後の受信部は１系統だけでよいので、回路規模が小さい、消費電流が少ない等のメリットがある。他方、合成ダイバーシティでは、複数のアンテナと、各アンテナに対応した個別の受信部を備え、複数のアンテナからの受信信号をそれぞれ受信し、各受信部で復調処理して合成を行う。従って、回路規模、消費電流が増大するという欠点を持っているが、受信特性は優れている。
【０００５】
また、３ＧＰＰ（3rd  Generation  Partnership  Project）で規格化されているＷ−ＣＤＭＡ（Wideband−Code  Division Multiple  Accessed）移動通信システムでは、受信品質を測定する上でＬ１（Layer１）フィルタとＬ３（Layer３）フィルタの２重構造のフィルタを通信装置に装備する。
【０００６】
一般的に、受信品質を用いてセル、またはセクタの移行判断を行うための、Ｌ１フィルタの性能、受信品質測定精度については、非特許文献１、非特許文献２に記載されている。
さらに、レイヤ３フィルタについては、ネットワークより係数が指定される指数重み付け平均化処理であり、本フィルタリングにより各通信事業者においてセル選択時のレベル精度向上、高速化等の調整が可能となっている。
【０００７】
従来において、ダイバーシティ受信制御を行うダイバーシティ受信機が提案されている（特許文献１参照）。このダイバーシティ受信機は、第１、第２のアンテナでそれぞれ受信した信号を復調する第１、第２の高周波受信部を備え、第１、第２の受信部からの出力信号をデジタル信号に変換してデジタルベースバンド処理部に入力して、ここで、ダイバーシティ合成するようになっている。ベースバンド処理部の判定対象信号を入力する条件判定回路は、送信電力制御適用チャンネルによる通信中であるか否かを判定する。この判定結果の信号を制御回路に入力し、第１、第２の高周波受信部の両方を動作させるか、又は一方を動作させるかについて制御する。
【特許文献１】特開２００６−３２４８１６号公報
【非特許文献１】3GPP TS25.133  V5.17.0“Requirements for support of radio resource management (FDD)”
【非特許文献２】3GPP TＳ34.121   V5.7.0 “Terminal conformance specification, Radio transmission and reception (FDD)”
【発明の開示】
【発明が解決しようとする課題】
【０００８】
しかし、特許文献１のダイバーシティ受信機によれば、第１、第２のアンテナに対応して受信品質測定部を必要とし、ダイバーシティ状態から非ダイバーシティ状態に切り替えた場合に想定よりも品質が劣悪であるときには再度ダイバーシティ状態に切り替わるトグル動作が発生することがあるという問題がある。
【０００９】
本発明は、ダイバーシティ受信制御を行う移動無線通信において、非ダイバーシティ状態に切り替えた場合に想定よりも品質が劣悪で再度ダイバーシティ状態に切り替えるようなトグル動作の発生を回避でき、構成要素の削減が可能となる通信装置、通信方法、及びプログラムを提供することを課題としている。
【課題を解決するための手段】
【００１０】
本発明の通信装置は、第１の受信部と、第１の受信部に接続される第１のアンテナと、第２の受信部と、第２の受信部に接続される第２のアンテナと、前記第１の受信部と前記第２の受信部からそれぞれ出力されるデジタルベースバンド信号を入力してダイバーシティ合成するベースバンド処理部と、を有する通信装置において、前記第１の受信部における受信品質を測定し、受信品質情報を出力する受信品質測定部と、前記第２の受信部へ電源供給を行う電源部と、前記受信品質測定部が測定した前記受信品質情報に基づき、前記電源部から前記第２の受信部へ供給する電力を決定する供給電力決定部と、を具備することを特徴とする。
【００１１】
また、本発明の通信装置は、上述の通信装置であって、前記供給電力決定部は、前記受信品質情報が受信品質基準値よりも悪い場合には、前記電源部から前記第２の受信部へ供給する電流を増加させることを特徴とする。
【００１２】
また、本発明の通信装置は、上述のいずれかの通信装置であって、前記供給電力決定部は、前記第２の受信部へ供給する電流の決定方法を複数有しており、前記供給電力決定部が有する複数の決定方法のうち、いずれの決定方法を用いるかを選択する方法選択部を具備することを特徴とする。
【００１３】
また、本発明の通信装置は、上述の通信装置であって、前記受信品質測定部は、前記第１および第２の受信部における受信品質を測定し、前記供給電力決定部は、前記第１もしくは第２の受信部の受信品質情報と受信品質基準値を比較して、この比較に用いた受信品質情報の受信部ではない、他方の受信部への電力供給を決定する決定方法と、前記第１もしくは第２の受信部の受信品質情報各々と受信品質基準値を比較して、前記第１および前記第２の受信部への電力供給を決定する決定方法とを有し、前記方法選択部は、前記第１と第２の受信部へ供給している電流に応じて、前記供給電力決定部が有する決定方法のうち、いずれを用いるかを決定することを特徴とする。
【００１４】
また、本発明の通信装置は、上述の通信装置であって、前記供給電力決定部は、前記受信品質情報と受信品質基準値とを比較し、その大小関係に基づき前記第２の受信部に供給する電流を決定する決定方法であって、前記受信品質基準値が各々異なる複数の決定方法を有しており、前記方法選択部は、前記第１のアンテナ及び前記第２のアンテナが受信している信号が、受信状態が悪いと受信電力が大きくなるよう送信電力制御がなされている信号のときは、前記供給電力決定部が用いる決定方法を、それ以外のときよりも劣悪な受信品質基準値の決定方法に決定することを特徴とする。
【００１５】
また、本発明の通信装置は、上述の通信装置であって、前記供給電力決定部は、前記受信品質情報と受信品質基準値とを比較し、その大小関係に基づき前記第２の受信部に供給する電流を決定する決定方法であって、前記受信品質基準値が各々異なる複数の決定方法を有しており、前記方法選択部は、間欠受信しているときは、前記供給電力決定部が用いる決定方法を、それ以外のときよりも劣悪な受信品質基準値の決定方法に決定することを特徴とする。
【００１６】
また、本発明の通信装置は、上述の通信装置であって、さらに前記ベースバンド処理部から送出される信号を前記第１のアンテナから送信する送信部を有することを特徴とする。
【００１７】
また、本発明の通信装置は、上述の通信装置であって、前記受信品質測定部は、前記第１の受信部に加えて、前記第２の受信部における受信品質を測定し、受信品質情報を出力し、前記供給電力決定部は、第１の受信部への電力供給のみを決定する決定方法、第２の受信部への電力供給のみを決定する決定方法、第１および第２の受信部への電力供給を決定する決定方法を有し、前記方法選択部は、第１および第２の受信部への電力供給状態と前記送信部の信号の送出状態とに基づき、前記供給電力決定部が有する決定方法のいずれを用いるかを選択することを特徴とする。
【００１８】
また、本発明の通信装置は、上述の通信装置であって、前記供給電力決定部は、前記受信品質情報と受信品質基準値とを比較し、その大小関係に基づき前記第２の受信部に供給する電流を決定する決定方法であって、前記受信品質基準値が各々異なる複数の決定方法を有しており、前記方法選択部は、前記決定方法の中から、移動速度に応じて決定方法を選択し、前記供給電力決定部に該選択した決定方法の使用を指示することを特徴とする。
【００１９】
また、本発明の通信装置は、上述の通信装置であって、さらに、移動速度検出部を有し、  前記方法選択部は、前記移動速度検出部から得られる移動速度が速くなるほど、前記受信品質基準値が良好な決定方法の使用を、前記供給電力決定部に指示することを特徴とする。
【００２０】
また、本発明の通信装置は、上述のいずれかの通信装置であって、前記受信品質測定部は、所定の期間の受信品質を平均化した値を受信品質情報として出力することを特徴とする。
【００２１】
また、本発明の通信装置は、上述のいずれかの通信装置であって、前記受信品質基準値は、アンテナ表示を変更する基準値と同等もしくはより良好な値とすることを特徴とする。
【００２２】
また、本発明の通信装置は、上述のいずれかの通信装置であって、前記受信品質基準値は、前記受信品質測定部が判定し得る受信品質情報のうち最も良い状態であることを特徴とする。
【００２３】
また、本発明の通信装置は、上述の通信装置であって、前記第２の受信部は、前記供給電力決定部が、前記電源部から前記第２の受信部へ供給する電流を増加させることを決定し、前記第２の受信部へ供給する電流が増加すると、パスサーチを行い、前記ベースバンド処理部は、前記第２の受信部のパスサーチ結果を用いてダイバーシティによる受信品質の向上量を推定し、該推定した向上量が所定の閾値に満たないときは、前記電源部から前記第２の受信部へ供給する電流を減少させることを特徴とする。
【００２４】
また、本発明の通信方法は、第１のアンテナで受信した信号を第１の受信部により復調するデジタルベースバンド信号と、第２のアンテナで受信した信号を第２の受信部により復調するデジタルベースバンド信号と、をベースバンド処理部によりダイバーシティ合成する通信方法であって、前記ベースバンド処理部を介し、第１の受信部に受信信号の品質を測定しうる信号を信品質測定部に入力して受信品質情報を得て、さらに該受信品質情報に基づき前記電源部から前記第２の受信部へ供給する電力を供給電力決定部で決定し、前記ベースバンド処理部が、供給電力決定部の決定報告に基づいて、最大比合成ダイバーシティが不要であるは必要であるかを判断し、最大比合成ダイバーシティが必要なときは電源部から第２の受信部の電源供給を開始し、不要なときは電源供給を遮断するように制御することを特徴とする。
【００２５】
また、本発明のプログラムは、第１のアンテナで受信した信号を第１の受信機部で復調処理し手出力するデジタルベースバンド信号をベースバンド処理するステップと、第１のアンテナに対する受信信号の品質を測定しうる信号を受信品質測定部に送り、該受信品質測定部にて受信信号情報を得るステップと、前記受信信号情報を供給電力決定部に送り受信品質基準値と比較して得られた受信品質比較結果を入力して受信品質比較結果を判断するステップと、最大比合成ダイバーシティが不要であると判断するときは、第２の受信部に関するベースバンド処理を停止するステップと、その後第２の受信部への電源供給を断つステップと、最大比合成ダイバーシティが必要なときは電源部から第２の受信部の電源供給を開始し、その後、第２の受信部の動作を開始させるステップと、を備えたことを特徴とする。
【発明の効果】
【００２６】
本発明によれば、ダイバーシティ受信制御を行う移動無線通信において、ダイバーシティ状態にから非ダイバーシティ状態に切り替えたときに想定よりも品質が劣悪で再度ダイバーシティ状態に切り替えるようなトグル動作を回避できる。
【発明を実施するための最良の形態】
【００２７】
以下図面を参照し本発明による移動装置の実施の形態について詳細に説明する。
【００２８】
[第１の実施の形態]
図１に本発明の第１の実施の形態に係る通信装置１００Ａの構成図を示す。
図１に示す通信装置１００Ａは、第１のアンテナ１０１と、該第１のアンテナ１０１で受信した信号を復調し受信信号に基づいてデジタルベースバンド信号を出力する第１の受信部１２１と、第２のアンテナ１０２と、該第２のアンテナ１０２で受信した信号を復調しデジタルベースバンド信号を出力する第２の受信部１２２と、第１の受信部１２１から出力されるデジタルベースバンド信号と第２の受信部１２２から出力されるデジタルベースバンド信号とをダイバーシティ合成するベースバンド処理部１８１と、第１の受信部１２１における受信品質を測定し、受信品質情報を出力する受信品質測定部１３１と、第２の受信部１２２へ電力供給を行う電源部１６１と、前記受信品質測定部１３１が出力する受信品質情報に基づき、前記電源部１６１から前記第２の受信部１２２へ供給する電力を決定する供給電力決定部１４２と、前記供給電力決定部１４２における前記第２の受信部１２２への供給電力の決定方法を選択する方法選択部１４１と、を具備する。
【００２９】
この第１の実施の形態に係る通信装置１００Ａによれば、電源を起動し、第１のアンテナ１０１で受信した受信信号についてベースバンド処理部１８１でベースバンド処理して復調信号を得て受信信号の品質を測定しうる信号を受信品質測定部１３１に送り、該受信品質測定部１３１にて得られた受信信号情報を、供給電力決定部１４２において、受信品質基準値と比較し受信品質比較結果を得て、受信品質比較結果を判断し、最大比合成ダイバーシティが不要なときは、第２の受信部１２２が動作状態のときは、第２のアンテナ１０２系に対応するベースバンド処理を停止し、その後、電源供給切替制御部１５１へ遮断信号を出力し、電源部１６１から第２の受信部１２２への電源供給を断ち受信部１２２の動作を停止し、第２のアンテナ１０２系の動作を停止し、また、最大比合成ダイバーシティが必要なときは、第２の受信部１２２が起動されていない状態ときは、電源供給切替制御部１５１へ接続信号を出力し、電源部１６１から第２の受信部１２２の電源供給を開始し、その後、タイミングを管理して第２の受信部１２２の動作を開始させ、さらに第２のアンテナ１０２系に対応するベースバンド処理を開始し、最大比合成ダイバーシティを行う。
【００３０】
以下、通信装置１００Ａの構成について、動作の説明を通じて説明する。
まず、図１に示す通信装置１００Ａの、受信ダイバーシティ（最大比合成ダイバーシティ）を行っている状態の動作について説明する。
【００３１】
通信装置１００Ａは、図示しない基地局装置より送信された信号を第１、第２のアンテナ１０１，１０２を用いて受信し、各受信信号をそれぞれ第１、第２の受信部１２１、１２２に送る。
第１、第２の受信部１２１、１２２は、それぞれの受信信号に対し、一般的に受信動作として行う帯域制限、ダウンコンバート、複素復調などを施して、復調信号を生成し、該復調信号に対してＡ／Ｄ変換（アナログデジタル変換）を行いデジタルベースバンド信号を生成し、該デジタルベースバンド信号をベースバンド信号処理部１８１へ出力する。
【００３２】
第１、第２の受信部１２１、１２２は、前記Ａ／Ｄ変換を有効に行うために、一般的に受信利得制御回路（Auto  Gain  Control  回路：ＡＧＣ回路という。）を前記復調信号を生成する回路部分に備えている（図示しない）。該ＡＧＣ回路は、基地局からの物理的距離の差、およびフェージングにより受信電解強度が異なる場合について、Ａ／Ｄ変換回路の変換レンジに含まれるように、前記復調信号をある程度レベル調整する、受信利得制御（ＡＧＣ制御）を行う。
【００３３】
ベースバンド信号処理部１８１は、第１、第２の受信部１２１、１２２から送られたデジタルベースバンド信号を用いて、受信信号の振幅を求め、これによって決まる制御信号を第１、第２の受信部１２１、１２２に送り、第１、第２の受信部１２１、１２２のＡＧＣ回路の利得を制御し、該Ａ／Ｄ変換回路入力振幅を最適化するよう動作する。
【００３４】
第１、第２のアンテナ１０１，１０２の利得差、およびフェージング変動により、第１、第２の受信部１２１、１２２への入力信号レベルが異なる可能性があるため、第１、第２の受信部１２１、１２２のＡＧＣ制御はそれぞれ独立に制御される。
【００３５】
また、ベースバンド処理部１８１は、３ＧＰＰ規格等で用いられているＷ−ＣＤＭＡ通信を用いている場合、使用されている拡散符号を用いて、前記第１、第２の受信部１２１、１２２から入力したデジタルベースバンド信号に対して逆拡散処理を行う。本逆拡散処理手法については、マッチトフィルタ方式、ＤＬＬ（Delay  Locked  Loop）方式などがあるが、特に、どの手法を用いてもよい。
【００３６】
ベースバンド処理部１８１は、デジタルベースバンド信号に対して逆拡散処理を行い、逆拡散した信号について、データ部分の抽出等を行い、誤り訂正、誤り検出等を行い、復調データを得る。
【００３７】
Ｗ−ＣＤＭＡ通信においては、逆拡散処理を行う上でパスサーチ機能が必要となる。パスサーチ機能が必要なのは、使用されている拡散符号の受信タイミングを知るためである。パスサーチ機能については、マッチトフィルタを利用し、充分大きな相関出力が得られるタイミングからパスのタイミングを知る、といった手法をとる。
【００３８】
また、ベースバンド処理部１８１は、逆拡散処理できるマルチパス数に制限があるため、受信ダイバーシティを利用している場合、第１、第２の受信部１２１、１２２の双方の出力について最大の受信品質が得られるパスの中から、利用可能なパスを処理可能な最大パス数だけ選択し、該パスサーチ機能により得られたタイミングによりデジタルベースバンド信号に対して逆拡散処理を行い、復調処理を行う。本実装についてはどのような手法が用いられても、特に本発明の範囲を制限するものではない。
【００３９】
また、ベースバンド処理部１８１は、送信部１１１より送信を行っている場合には、送信処理として受信と逆の処理を行う。すなわち、ベースバンド処理部１８１は、送信すべきデータ列に対して誤り検出符号を付加し、誤り訂正符号化を行い、引き続き拡散処理が行われた信号を送信部１１１へ出力する。
【００４０】
送信部１１１は、ベースバンド処理部１８１より出力された信号を入力し、Ｄ／Ａ変換（デジタルアナログ変換）し、アップコンバート、複素変調処理を行い、第１のアンテナ１０１より図示されない通信装置（基地局装置）に送信する。
【００４１】
また、この実施の形態に係る通信装置１００Ａは、第１のアンテナ１０１より受信した受信信号の品質を測定しうる信号を、ベースバンド処理部１８１より受信品質測定部１３１へ出力する。
【００４２】
受信品質は例えばＣＰＩＣＨ＿Ｅｃ／Ｉｏと呼ばれるものが用いられる。
このＣＰＩＣＨ＿Ｅｃ／Ｉｏは、第１のアンテナ１０１で受信した受信信号総電力（Ｉｏ）に対する共通パイロットチャネル（ＣＰＩＣＨ）の拡散符号チップ当たりのエネルギ（Ｅｃ）の比で与えられる受信電力である。ＣＰＩＣＨ＿Ｅｃ／Ｉｏを得るための信号であれば該ベースバンド信号処理部１８１よりどのような信号が出力されていてもよい。
【００４３】
ベースバンド処理部１８１は、ここでは例えば、第１のアンテナ１０１で受信したＣＰＩＣＨのシンボル単位での逆拡散電力出力（ＣＰＩＣＨ＿Ｅｃに関連）と、第１のアンテナ１０１で受信したシンボル時間当たり平均化した受信信号総電力（Ｉｏに関連）とを供給電力決定部１４２へ出力する。
【００４４】
受信品質測定部１３１は、第１の受信部１２１における受信品質を測定し、受信品質情報を出力する。受信品質測定部１３１は、該逆拡散電力出力、および該受信信号総電力を入力し、それらに対してそれぞれ平均化処理を行い、その比を演算し、その結果、上述のＣＰＩＣＨ＿Ｅｃ／Ｉｏなる値を得る。
【００４５】
このように、受信品質測定部１３１が上記の平均化処理を施すことで、受信品質測定誤差によるダイバーシティ受信動作誤判定を防ぐことができる。また、一般的に受信部起動に数ms程度の時間を要するため起動処理中に停止判定を行い、動作が異常となるようなことも防止できる。一般的に、本平均化処理の平均化時間については、３ＧＰＰ規格によると、上述のようにレイヤ１フィルタによるフィルタリング（平均化）と、さらにその結果をレイヤ３フィルタによるフィルタリングを行う、という２重構造となっている。ここでの平均化処理は、レイヤ１フィルタリングと同等以上の平均化を実施していることが望ましい。本実施により、レイヤ１フィルタリングと同じ処理を共有化でき、処理の削減が可能となる
【００４６】
供給電力決定部１４２は、ベースバンド処理部１８１を介して受信品質測定部１３１が測定した受信品質情報を入力し、該受信品質情報と予め保持している受信品質基準値との比較を行う。
【００４７】
一般的に過剰品質である場合、ダイバーシティを行わずとも充分な誤り率特性（ほぼ誤りがない状態）が得られる。ただし、３ＧＰＰ規格のＷ−ＣＤＭＡシステムでは、音声など、各ユーザが専有して使用するＣＤＭＡチャネル（Dedicated  Channelという）を利用して通信を行う場合、基地局装置から通信装置の送信する下りチャネルでも送信電力制御を実施しており、所要品質が満足できる送信レベルに調整されている。
【００４８】
これは、基地局装置においても総送信電力の最大値には制限があるので、各ユーザへ無駄な送信電力を割り当てることで収容ユーザ数が減少することを避けること、および同じ収容ユーザ数環境下での送信電力を極力小さくすることで隣接セルへの干渉となる影響を小さくすることにより、収容ユーザ数を増大させることなどが目的である。
【００４９】
よって、本通信装置が基地局装置の近傍にあり遮蔽物の影響が少ない場合、本通信装置の受信品質はかなり良好となるが、その場合、当然ながら該移動局装置に送信されるDedicated  Channel送信電力はかなり小さくなるよう制御される。上述のように基地局装置から見た場合、総送信電力を下げたいという要求に対して、そもそも極小電力で送信されているものに対して、それを下げたとしてもトータル電力はまったくと言っていいほど影響はない。
【００５０】
上述の理由からDedicated  Channel通信下では、送信電力制御を行わないときに比べて、切り換えの閾値を受信状態の良い値にすることとする。基地局における収容ユーザ数に配慮すると、閾値を高くする制御は、受信状態がよい時、例えばアンテナ表示が最も良好と表示される時、に適用することが好ましい。受信状態が過剰に良いときは、アンテナを１本にしても移動局の受信状態を所定の状態に保てる可能性があり、この場合は基地局の送信電力には何ら影響を与えないためである。また、仮に移動局の受信状態が悪くなり、上記の処理が行われたとしても、基地局の全送信電力に占めるこの移動局向けの送信電力の割合は小さく、基地局への影響は小さなものに留まるためである。このようにアンテナ２本での受信が不要な場合にはアンテナ１本での受信とする制御を行なうことが可能となり、結果自らの消費電力を下げることが可能となる。
【００５１】
上述のように、最大比合成ダイバーシティを適用することで、基地局装置からの送信電力削減の効果から、収容人数を増加させることが可能となる効果が挙げられるが、もちろん、送信機として基地局装置でなくとも、移動機（本通信装置）が送信機、基地局が受信装置として機能している場合には、明らかに送信電力低減効果が得られるため、移動機（本通信装置）の低消費電力化が図れることとなる。
【００５２】
上述のようにして、供給電力決定部１４２は、受信品質測定部１３１が測定した受信品質情報に基づき、電源部１６１から第２の受信部１２２へ供給する電力を決定する。
方法選択部１４１は、供給電力決定部１４２が電力を決定する際に、どのような受信品質基準値を用いて、どのように決定するか、その決定方法を選択する。例えば、上述のようにDedicated  Channel通信下では、送信電力制御を行わないときよりも、良好な値の受信品質基準値を選択する。
【００５３】
供給電力決定部１４２は、例えば、受信品質情報が受信品質基準値以上の場合には論理信号として“Ｈｉｇｈ”、受信品質基準値未満の場合には“Ｌｏｗ”をベースバンド処理部１８１へ出力する。ベースバンド処理部１８１は、該供給電力決定部１４２の出力の“Ｈｉｇｈ”（接続信号）、又は“Ｌｏｗ”（遮断信号）を入力し、電源供給切換制御部１５１へ出力する。
【００５４】
供給電力決定部１４２は、受信品質測定部１３１が出力する受信品質情報が、所定の期間、受信品質基準値と同一、もしくはそれよりも良好であった場合には、電源部１６１から第２の受信部１２２へ供給する電流を減少させるように、電源部１６１から第２の受信部１２２へ供給する電力を“Ｌｏｗ”に決定し、ベースバンド処理部１８１へ出力する。
【００５５】
また、供給電力決定部１４２は、受信品質測定部１３１が出力する受信品質情報が、供給電力決定部１４２における受信品質比較結果として、受信品質情報が受信品質基準値よりも悪い場合には、電源部１６１から第２の受信部１２２へ供給する電流を増加させるように、電源部１６１から第２の受信部１２２へ供給する電力を“Ｈｉｇｈ”に決定し、ベースバンド処理部１８１へ出力する。
【００５６】
供給電力決定部１４２における受信品質基準値は、ダイバーシティ受信（アンテナ１０１、１０２の双方を用いての受信）のときから、非ダイバーシティ受信（アンテナ１０１のみを用いての受信）に切り換える場合と、非ダイバーシティ受信からダイバーシティ受信に切り換える場合とで、相違させてヒステリシス特性を持たせることが好ましい。すなわち、前者の場合の受信品質基準値を、後者のものよりも低い値にする。方法選択部１４１は、ダイバーシティ受信をしているか非ダイバーシティ受信をしているかを判定し、該判定に基づき、供給電力決定部１４２が判定に用いる受信品質基準値を選択する。
また、供給電力決定部１４２は、受信品質基準値を、送信電力制御が行われていない信号を受信するときより劣悪な品質を表す値に設定することができる。これにより、“Ｈｉｇｈ”の場合を大きくすることができ、ダイバーシティ状態を可能にする。
【００５７】
一方、第２の受信部１２２の電源部分に、電源供給切換部１７１を介して電源部１６１が接続されている。電源部１６１から他の全ての部分に対する給電については、非通信状態を考慮し、電源供給切換部１７１とは別の電源供給切換部（図示しない）を介し接続が一般的になされているが、本発明では、その部分の動作については特に本発明を制限するものではないため、説明、図示を省略している。
【００５８】
ベースバンド処理部１８１は、電源供給切換制御部１５１に対して電源供給切換要求信号を出力する。電源供給切換制御部１５１は、ベースバンド処理部１８１から電源供給切換要求信号を受けると、電源供給切換部制御信号を生成し、電源供給切換部１７１へ出力する。電源供給切換制御部１５１は、この例では電源を断つ場合には“Ｌｏｗ”を、電源供給する場合には“Ｈｉｇｈ”をそれぞれ出力するように機能する。
【００５９】
電源供給切換部１７１は、単なるスイッチ機能を有するものであり、電源部１６１と第２の受信部１２２との接続をオン／オフするものである。
電源供給切換制御部１５１から電源供給切換部制御信号として論理信号が出力され、該論理信号は電源供給切換部１７１の制御端子に入力する。電源供給切換部１７１は、制御端子を有しており、電源供給切換制御部１５１から例えば論理信号として“Ｌｏｗ”が入力するときは、スイッチオフとなり電源部１６１からの電源供給が断たれ、“Ｈｉｇｈ”が入力するときは、スイッチオンとなり電源部１６１からの電源供給が行われる仕組みである。
【００６０】
ベースバンド処理部１８１は、特に変更が生じた場合にのみ電源供給切換要求信号を出力し、或いは、論理信号として電源供給切換要求信号を出力する等、どのような手法であっても、本発明の範囲を制限するものではない。
【００６１】
続いて、ベースバンド処理部１８１の受信部動作制御フローを図２に示す。以下、図２を用いて制御動作を説明する。
【００６２】
まず、電源起動状態である場合、第１のアンテナ１０１で受信した受信信号について受信品質測定部１３１で受信信号情報を得て、さらに供給電力決定部１４２において、受信品質測定部１３１で得た受信品質情報と受信品質基準値（閾値）と比較して受信品質比較結果Ｒ１を得る（Ｓ０００１）。そして、受信品質比較結果Ｒ１が“Ｈｉｇｈ”であるか、“Ｌｏｗ”であるかを判断する。
【００６３】
受信品質情報が受信品質基準値に対して良好であり受信品質比較結果Ｒ１が“Ｈｉｇｈ”であった場合（Ｓ０００２）には、第２のアンテナ１０２に対応する第２の受信部１２２の動作をさせる必要はないと判断し、現状動作しているかどうかを確認し（Ｓ０００３）、第２のアンテナ１０２系が動作していないようであればそのままの状態を維持し、最初のステップ（Ｓ０００１）に戻る。
【００６４】
第２のアンテナ１０２系が動作している状態であれば、第２のアンテナ１０２で受信した信号に対応するＡＧＣ処理、パスサーチ処理などのベースバンド処理を停止させる（Ｓ０００７）。さらに、一般的に電源供給切換部１７１により受信部１２２の電源が断たれる以前に該受信部１２２の動作の停止を行い、また該受信部１２２に電源が供給されてから該受信部１２２の起動を行う必要があるのでベースバンド処理部ではタイミングを管理する必要がある可能性がある。よって、この段階で受信部１２２の動作を停止させる。以上で、第２のアンテナ１０２系の動作を停止する（Ｓ０００７）。
【００６５】
この後、タイミング管理後、電源供給切替制御部１５１へ“Ｌｏｗ”を出力する（Ｓ０００８）。本動作により、電源供給切替制御部１５１より電源供給切替部１７１へ“Ｌｏｗ”が出力され、電源部１６１から第２の受信部１２２への電源供給が断たれることになる。本動作により、第２の受信部１２２は低消費電力化が図れることとなる。
【００６６】
また、Ｓ０００２の判断で受信品質比較結果Ｒ１が“Ｌｏｗ”であった場合には、最大比合成ダイバーシティが必要と判断する。ここで、第２のアンテナ１０２に対応する第２の受信部１２２が動作しているかどうかを確認し（Ｓ０００４）、起動されている状態であれば初期ステートへ戻る（Ｓ０００１）。
【００６７】
Ｓ０００４の判断で第２の受信部１２２が起動されていない状態であれば、電源供給切替制御部１５１へ“Ｈｉｇｈ”を出力し、第２の受信部１２２の電源供給を開始する（Ｓ０００５）。本処理により、電源供給切替制御部１５１より“Ｈｉｇｈ”が出力され、これを受けた電源供給切替部１７１は、“Ｈｉｇｈ”を出力することで電源部１６１と第２の受信部１２２とが導通され、第２の受信部１２２の電源が起動される。
【００６８】
上述のように一般的に電源供給後、タイミングを管理して第２の受信部１２２の動作開始を行なう必要があるため、この後、タイミングを計ってから第２の受信部１２２の動作を開始させ、併せてＡＧＣ処理、パスサーチ処理などを開始する（Ｓ０００６）。本動作により最大比合成ダイバーシティが実現可能となり品質が確保される。本フローは通信が終了する場合だけ終了すれば良いこととなる。
【００６９】
本動作により、品質が過剰でない場合には最大比合成ダイバーシティが起動され、結果、受信品質が向上し、下り送信電力制御が行なわれている場合には下り送信電力が低減され、より通信容量が得られることとなる。
【００７０】
また、上述のような動作を行うことで、受信品質が下り送信電力削減に効果がないと想定される品質以上になった場合に、第２の受信部１２２の電源供給を停止させることで低消費電力化が図れる。
【００７１】
さらに、ダイバーシティ状態では双方のアンテナの受信品質を測定するのではなく、非ダイバーシティ状態時に使用するアンテナ（上記実施の形態では第１のアンテナ１０１に相当）に対応した受信信号品質のみで判断することで、非ダイバーシティ状態に切り替えた際の受信品質を知り得るので、切り替えた結果、想定よりも品質が劣悪で再度ダイバーシティ状態に切り替えるようなトグル動作を防止し、受信品質測定部、比較部の削減が可能となる。
【００７２】
[第２の実施の形態]
図３に本発明の第２の実施の形態に係る通信装置１００Ｂの構成図を示す。
【００７３】
図３に示す通信装置１００Ｂは、第１、第２のアンテナ１０１，１０２、送信部１１１、第１、第２の受信部１２１、１２２、受信品質測定部１３１、１３２、方法選択部１４３、供給電力決定部１４４、電源供給切換制御部１５１、１５２、電源部１６１、電源供給切換部１７１、１７２、ベースバンド処理部１８２からなる。
【００７４】
以下、通信装置１００Ｂの構成について、動作の説明を通じて説明する。
本実施の形態においても、第１の実施の形態と同様にして図示されない基地局装置より送信された信号を第１、第２のアンテナ１０１，１０２、送信部１１１、第１、第２の受信部１２１、１２２、ベースバンド部１８２によりＡＧＣ制御、パスサーチを含めた復調処理、送信処理が行われる。
【００７５】
本実施の形態では、第１の実施の形態に比して、電源供給に関する制御が異なる。以下、その動作について詳細に説明する。
【００７６】
まず、本通信装置１００Ｂでは、第１の実施の形態と同様に、ベースバンド処理部１８２より第１のアンテナ１０１より受信された受信信号の品質を測定しうる信号が受信品質測定部１３１へ出力され、供給電力決定部１４４は該受信品質測定結果を用いて、供給する電流を決定する。また、方法選択部１４３は、第１および第２の受信部１２１、１２２への電力供給状態と送信部１１１の信号の送出状態とに基づいて、供給電力決定部１４４による供給電流の決定方法を選択する。
【００７７】
併せて、本移動装置１００Ｂでは、ベースバンド処理部１８２より第２のアンテナ１０２より受信された受信信号の品質を測定しうる信号が受信品質測定部１３２へ出力され、受信品質比較結果がベースバンド処理部１８２に結果が報告される。受信品質測定部１３２の動作は、第１の実施の形態で説明した受信品質測定部１３１の動作と同様である。
【００７８】
該受信品質比較結果を受けたベースバンド処理部１８２は、電源供給切換制御部１５１、１５２それぞれに独立して電源供給切換制御要求信号を出力する。該電源供給切替制御要求信号は第１の実施の形態で説明したものと同様の信号でよい。また、該電源供給切換部制御要求信号を受け、電源供給切換制御部１５１、１５２では第１の実施の形態同様に、電源供給切換部制御信号を生成し、これを受けた電源供給切替部１７１、１７２は電源部１６１からの接続を導通／切断する。
【００７９】
ベースバンド処理部１８２、方法選択部１４３、電力供給決定部１４２の受信部動作制御フローを図４〜図７に示す。以下、図４〜図７を用いて制御動作を説明する。本フローは電源起動状態であり、少なくとも受信は実施するという状態でのフローである。
【００８０】
まず、図４において、送信状態と非送信状態とで処理が異なる。プログラムスタートして（Ｓ１００１）、まず、方法選択部１４３は、送信状態、もしくは送信要求があるかどうかについて判断を行ない（Ｓ１００２）、送信状態、もしくは送信要求がある場合には、図７のフローへ移る。Ｓ１００２での送信要求は、あくまで現状送信はしていないがタイムラグなく送信が開始される場合に、送信状態と同等の処理とするためである。送信要求有無判定については、例えば上位層（ＭＡＣ（Media  Access  control）層など）により送信すべき情報が存在し、下位レイヤに送信要求を行なったかどうかを判定する場合である。
【００８１】
図７の供給電力決定部１４４のフローでＳ１３０４〜Ｓ１３１１は、第１の実施の形態で説明した動作と同様の制御となる。この実施の形態では、第１のアンテナ１０１の受信信号品質のみを利用するため、このフローに入った際に、まず第１のアンテナ１０１に対応する受信部１２１が動作している状態かどうかを確認し（Ｓ１３０１）、動作していない場合には、第１の実施の形態と同様にして、電源供給切替制御部１５２に対する電源供給切替要求信号を“Ｈｉｇｈ”にして第１のアンテナ１０１に関し処理開始し（Ｓ１３０２、Ｓ１３０３）、第１のアンテナ１０１に対応する受信部１２１を動作させる。
【００８２】
また、図７のフローに入った場合には、受信品質測定部１３２は利用しないので動作を停止する。ハードウェアで実現される場合には図示されない電源供給を断つことにより低消費電力化も可能となる。また、受信部動作についても、第１のアンテナ１０１に対応する第２の受信部１２２のみを制御するため、電源供給切替制御部１５２に対する電源供給切替要求信号は常に“Ｈｉｇｈ”を出力することとなる。本フロー処理を終了すると図４のＳ１００２に戻り、送信状態かどうかの監視を行なうこととなる。
【００８３】
図４のＳ１００２に戻り、送信状態ではなく、送信要求もない場合には、受信のみ動作している状態であり、この場合には、最大比合成ダイバーシティだけでなく、選択ダイバーシティも考慮した動作となる。この場合には本実施の形態では、方法選択部１４３は、まず第１のアンテナ１０１に対応した受信部１２１の動作を確認する（Ｓ１００３）。受信部１２１が動作していない場合には図６の供給電力決定部１４４のフローへと進む。受信部１２１が動作していない状態とはすなわち第２の受信部１２２のみが動作している状態である。以下、図６を用いて動作について説明する。
【００８４】
第２の受信部１２２のみが動作している状態であるので、受信品質測定部１３１は停止されているため、ベースバンド処理部１８２は第２の受信部１２２からの受信信号のみを受信し、本受信信号の品質を測定しうる信号を受信品質測定部１３２へ供給し、供給電力決定部１４４において、受信品質測定部１３１が測定した受信品質情報に基づき、電源部１６１から第２の受信部１２２へ供給する電力を決定し、この決定内容をベースバンド処理部１８２へ出力する状態である。
【００８５】
よって、まず、受信品質測定部１３２で受信信号情報を得て、さらに供給電力決定部１４４において、受信品質測定部１３２で得た受信品質情報と受信品質基準値（閾値）と比較して受信品質比較結果Ｒ２を得る（Ｓ１２０１）。
【００８６】
受信品質比較結果Ｒ２を得たベースバンド処理部１８２は、Ｒ２が“Ｈｉｇｈ”であるか否かを判断し（Ｓ１２０２）、Ｒ２が“Ｈｉｇｈ”である場合には、受信信号品質が充分良好であると判断し、図６のフローを終了し、図４のＳ１００２へ戻り、再度送信状態の確認を行なう。逆にＲ２が“Ｌｏｗ”だった場合には、第２のアンテナ１０２に関する受信系だけでは受信品質が充分でないと判断し、ここではまず電源供給切替制御部１５２へ“Ｈｉｇｈ”を出力し、受信部１２１へ電源供給を開始し（Ｓ１２０３）、第１のアンテナ１０１に対応した受信系も起動させるよう制御を開始する（Ｓ１２０４）。本動作は第１の実施の形態で記載した、第２の受信部１２２電源供給動作と同様である。
【００８７】
この後、ベースバンド処理部１８２ではタイミングを見計らって受信部１２１を起動し、その後、受信部１２１からの受信信号に対して、ＡＧＣ処理、パスサーチ処理を開始する。併せて、受信品質測定部１３１、供給電力決定部１４２、方法選択部１４１も起動を開始する。本動作により、第１のアンテナ１０１に対する受信系が動作し、結果、最大比合成ダイバーシティが動作することとなる。最大比合成ダイバーシティ動作を実現した後は、再び図４のフローへ戻る（Ｓ１００２）。ここでは最大比合成ダイバーシティ状態であるため、Ｓ１００２、Ｓ１００３、Ｓ１００４を経由して、供給電力決定部１４２より受信品質比較結果Ｒ１を入手し（Ｓ１００５）、併せて上述と同様にして供給電力決定部１４４より受信品質比較結果Ｒ２を入手する（Ｓ１００６）。
【００８８】
受信品質比較結果Ｒ２を確認し、ここでもしも受信品質比較結果Ｒ１が“Ｈｉｇｈ”であった場合（Ｓ１００７）、第１のアンテナ１０１に対応した受信部１２１だけで受信品質が充分良好であると判断し、第２のアンテナ１０２に対応したＡＧＣ処理、パスサーチ処理を停止し、さらに受信品質測定部１３２、受信品質比較部１４２、第２の受信部１２２を停止させる（Ｓ１００８）。そして上述と同様にタイミングを見計らって電源供給切替制御部１５１へ“Ｌｏｗ”を出力し、第２の受信部１２２の電源供給を切断する（Ｓ１００９）。
【００８９】
本処理により第２のアンテナ１０２からのみ受信動作を行なっていたものを、最大比合成ダイバーシティを経由するものの、第１のアンテナ１０１からのみの受信動作に切り替えられ、結果、選択ダイバーシティが実現できる。
【００９０】
本処理終了後はＳ１００２へ戻り、再度送信状態かどうかの確認を実施する。
Ｓ１００７において受信品質比較結果Ｒ１が“Ｌｏｗ”であった場合には受信品質比較結果Ｒ２の確認を行い（Ｓ１００８）、ここでもしも受信品質比較結果Ｒ２が“Ｈｉｇｈ”であったとすると、上述したＳ１００９、Ｓ１０１０と同様にして、Ｓ１０１１、Ｓ１０１２により第１のアンテナ１０１の動作を停止させ、再度、第２のアンテナ１０２からの受信のみの動作とする。この後Ｓ１００２へ戻り、再度送信状態かどうかの確認を実施する。
【００９１】
また、Ｓ１００８において受信品質比較結果Ｒ２も“Ｌｏｗ”であった場合には、最大比合成ダイバーシティ動作を維持し、Ｓ１００２へ戻り、再度送信状態かどうかの確認を実施する。
また、Ｓ１００３において、第１のアンテナ１０１に対応する受信系が動作していた場合には、続いて第２のアンテナ１０２に対応する受信系動作状態を確認する（Ｓ１００４）。第２のアンテナ１０２に対応する受信系が動作している場合には、結果的に双方動作しており、最大比合成ダイバーシティ動作状態であり、第１のアンテナ１０１に対応した受信品質比較結果Ｒ１の入手動作へと進む（Ｓ１００５）。以下は同様の動作となる。
【００９２】
Ｓ１００４において、第２のアンテナ１０２に対応する受信系が動作していない場合には、第１のアンテナ１０１に対応した受信系のみが動作している状態となり、図５の供給電力決定部１４４のフローとなる。図５のフローは図６のフローに対して、第２のアンテナ１０２、第１のアンテナ１０１を入れ替えたものとなっている。
【００９３】
以下、図５のフローを用いて動作を説明する。
受信部１２１のみが動作している状態であるので、受信品質測定部１３２を停止している。ベースバンド処理部１８２は、受信部１２１からの受信信号のみを受信し、本受信信号の品質を測定しうる信号を受信品質測定部１３１へ供給し、供給電力決定部１４４は、同様にして受信品質比較結果を得る。
【００９４】
よって、受信品質比較結果Ｒ１を得ることから始まる（Ｓ１１０１）。本結果を得た供給電力決定部１４４は、受信品質比較結果Ｒ１が“Ｈｉｇｈ”だった場合には受信信号品質が充分良好であると判断し（Ｓ１１０２）、本図のフローを終了し、図４のＳ１００２へ戻り、送信状態の確認作業へもどる。逆にＲ１が“Ｌｏｗ”だった場合には第１のアンテナ１０１に関する受信系だけでは受信品質が充分でないと判断し、第２のアンテナ１０２に対応した受信系も起動させるよう制御を開始する。ここでは、まず電源供給切替制御部１５１へ“Ｈｉｇｈ”を出力し、第２の受信部１２２へ電源供給を開始する。本動作は第１の実施の形態で記載した、第２の受信部１２２電源供給動作と同様である。
【００９５】
この後、ベースバンド処理部１８２ではタイミングを見計らって第２の受信部１２２を起動し、その後、第２の受信部１２２からの受信信号に対して、ＡＧＣ処理、パスサーチ処理を開始する。併せて、受信品質測定部１３２も起動を開始する。本動作により、第２のアンテナ１０２に対する受信系を動作し、結果、最大比合成ダイバーシティを動作する。
【００９６】
この後は、図４に示すフローに戻る（Ｓ１００２）。以下動作は上述と同様になる。
本動作により送信状態と非送信状態でフローを変え、通信状態では送信と共用するアンテナ（本実施の形態では第１のアンテナ１０１に相当）は常時使用し、共用しない受信専用アンテナ（本実施の形態では第２のアンテナ１０２に相当）は受信品質が良好か否かにより電源制御を行う。結果、送信と共用するアンテナのみか、もしくは双方のアンテナによる最大比合成ダイバーシティかを切り替える動作を行なう。
【００９７】
一方、非送信状態ではメインアンテナとサブアンテナのどちらか一方でも受信品質が良好であれば、そのアンテナひとつのみを利用し、双方とも良好でない場合には両方のアンテナを利用した最大比合成とすることで、非送信時には極力１アンテナのみで受信を実現させ、低消費電力化が実現できる。
【００９８】
本実施の形態では、供給電力決定部１４４に設ける受信品質基準値（閾値）を図４〜７のフローのどの決定方法においても同一に設けるようにしているが、異なるようにしても良く、本発明の範囲を逸脱するものではない。
【００９９】
また、本実施の形態では、第１のアンテナ１０１、第２のアンテナ１０２に対応した受信品質を独立に閾値変更したが、非送信状態における処理では、選択ダイバーシティを考えた場合、双方を比較してより良好な受信品質が得られるアンテナを選択するといった処理を行なってもよい。
【０１００】
[第３の実施の形態]
図８に本発明の第3の実施の形態に係る通信装置１００Ｃの構成図を示す。
【０１０１】
図８に示す通信装置１００Ｃは、第１、第２のアンテナ１０１，１０２、送信部１１１、第１、第２の受信部１２１、１２２、受信品質測定部１３１、方法選択部１４５、供給電力決定部１４６、電源供給切換制御部１５１、１５２、電源部１６１、電源供給切換部１７１、１７２、ベースバンド処理部１８３からなる。この構成は、第２の実施の形態の通信装置１００Ｂより受信品質測定部１３２が削除され、方法選択部１４３、供給電力決定部１４４に変えて、方式選択部１４５と供給電力決定部１４６が追加された形となっている。
【０１０２】
つまり、本実施の形態におけるベースバンド信号処理部１８３では、供給電力決定部１４２へ出力される、受信品質を測定しうる信号について、第１のアンテナ１０１からの受信信号に対応した信号、もしくは第２のアンテナ１０２からの受信信号に対応した信号を切替出力する機能を有する。ベースバンド信号処理部１８３以外のものについては第２の実施の形態で説明したものと全く同様の機能を有するものである。よって以下、ベースバンド信号処理部１８３の受信部動作制御について説明する。
【０１０３】
図９にベースバンド信号処理部１８３の動作制御フローをまとめる。以下動作について詳細に説明する。図９のフローは、電源起動状態であり、上述の第２の実施の形態同様に、少なくとも受信は実施するという状態でのフローである。
【０１０４】
まず、本実施の形態では、第２の実施の形態と同様に、送信状態、非送信状態で処理が異なる。よってまず、方法選択部１４５は、送信状態、もしくは送信要求があるかどうかについて判断を行ない（Ｓ２００２）、送信状態、もしくは送信要求がある場合には、図１２のフローへ移る。
【０１０５】
図１２の供給電力決定部１４５のフローは、第１の実施の形態、第２の実施の形態での送信状態で説明した動作（図７）と同様の制御となる。ただし、ここで受信品質測定部１３１へ第１のアンテナ１０１から受信した信号に対応した、受信信号を測定しうる信号を出力すべく設定されるステップが最初に付加される（Ｓ２３０１）。本動作は、上述のように受信品質測定部１３１、および方法選択部１４１、供給電力決定部１４２を１系統しか有さないため、第１、第２のアンテナ１０１，１０２のどちらに対応した測定を行なうかに応じて、ベースバンド処理部１８３より選択して出力する必要が生じるためである。
【０１０６】
この後は上述と同様の動作となる。
送信状態ではなく、送信要求もない場合には、受信のみ動作している状態であり、この場合には、最大比合成ダイバーシティだけでなく、選択ダイバーシティも考慮した動作となる。この場合には本実施の形態ではまずアンテナの動作状態を確認する（図９のＳ２００３）。ここで双方のアンテナが動作している場合（最大比合成ダイバーシティ状態）には、ベースバンド処理部１８３では、まず第１のアンテナ１０１の受信信号に対応した受信品質を測定しうる信号を受信品質測定部１３１へ出力するよう選択する（Ｓ２００４）。
【０１０７】
この後、上述のように第１のアンテナ１０１の受信信号に対する受信品質比較結果Ｒ１を受信品質測定部１３１より入手し（Ｓ２００５）、その結果を確認する（Ｓ２００６）。ここで、受信品質比較結果Ｒ１が“Ｈｉｇｈ”であった場合には第１のアンテナ１０１のみで良好な受信品質が得られるため、上述と同様な動作により（Ｓ２０１２、Ｓ２０１3）第２のアンテナ１０２に対応した受信系の動作を停止、第２の受信部１２２への電源供給を切断する。この後は、送信状態を確認するステートへ戻る（Ｓ２００２）。
【０１０８】
受信品質比較結果Ｒ１が“Ｌｏｗ”であった場合には、ベースバンド処理部１８３は、第２のアンテナ１０２の受信信号に対応した受信品質を測定しうる信号を受信品質測定部１３１へ出力するよう切り替える（Ｓ２００７）。
【０１０９】
この後、上述のようにアンテナ１０２からの受信信号に対応した受信品質比較結果Ｒ２を受信品質測定部１３１より入手し（Ｓ２００８）、その結果を確認する（Ｓ２００９）。ここで、受信品質比較結果Ｒ２が“Ｈｉｇｈ”であった場合には第２のアンテナ１０２のみで良好な受信品質が得られるため、上述と同様な動作により（Ｓ２０１０、Ｓ２０１１）第１のアンテナ１０１に対応した受信系の動作を停止、受信部１２１への電源供給を切断し、再度送信状態を確認するステートへ戻る（Ｓ２００２）。
【０１１０】
また、受信品質比較結果Ｒ２が“Ｌｏｗ”であった場合には、結果双方とも受信品質が良好でない状態であるため、最大比合成ダイバーシティ状態を維持し、再度送信状態を確認するステートへ戻る（Ｓ２００２）。このようにどちらか一方でも品質が良好であればその一方のみの動作とさせることで極力１系統のみの動作とするよう制御することが可能となる。
【０１１１】
Ｓ２００３において第１のアンテナ１０１のみが動作している場合には図１０に示すフロー動作となる。本フローにおけるＳ２１０２〜Ｓ２１０５までの動作は、第１の実施の形態において、図５を用いて説明した動作とほぼ同様であり、差分としては前段として受信品質測定部１３１へ第１のアンテナ１０１に対応した受信信号品質を測定しうる信号をベースバンド処理部１８３より出力するように切替が行なわれること（Ｓ２１０１）が追加されるのみである。
【０１１２】
本動作は、上述のように第２の実施の形態と比較し、受信品質測定部を１系統に削減したことにより、どのアンテナからの受信信号に対応した受信信号品質を測定するかを選択する必要が生じたために追加されたステップである。
【０１１３】
また、図９のＳ２００３において方法選択部１４４が、第２のアンテナ１０２のみ動作している状態であると判断した場合は、図１１の供給電力決定部１４５のフロー動作となる。図１１は図１０の動作に対して、対応するアンテナが１０１から１０２へ変更されただけのものとなる。
【０１１４】
本動作により第２の実施の形態同様に送信状態と非送信状態でフローを変え、通信状態では送信と共用するアンテナ（本実施の形態では第１のアンテナ１０１に相当）は常時使用し、共用しない受信専用アンテナ（本実施の形態では第２のアンテナ１０２に相当）は受信品質が良好か否かにより電源制御を行う。結果、送信と共用するアンテナのみか、もしくは双方のアンテナによる最大比合成ダイバーシティかを切り替える動作を行なう。
【０１１５】
一方、非送信状態ではサブアンテナのどちらか一方でも受信品質が良好であれば、そのアンテナひとつのみを利用し、双方とも良好でない場合には両方のアンテナを利用した最大比合成とすることで、非送信時には極力１アンテナのみで受信を実現させ、低消費電力化が実現できる。さらに、受信品質測定部を１系統とすることでハードウェアに削減が実現できる。
【０１１６】
[第４の実施の形態]
図１３に本発明の第4の実施の形態に係る通信装置１００Ｄの構成図を示す。
【０１１７】
図１３に示す通信装置１００Ｄは、第１、第２のアンテナ１０１，１０２、送信部１１１、第１、第２の受信部１２１、１２２、ＣＱＩカウント部２０１、ＣＱＩ方法選択部２１１、ＣＱＩ電力供給決定部２１２、電源供給切換制御部１５１、電源部１６１、電源供給切換部１７１、ベースバンド処理部１８４からなる。
【０１１８】
以下、通信装置１００Ｄの構成について、動作の説明を通じて説明する。
以下第１の実施の形態と同様にして図示されない基地局装置より送信された信号を第１、第２のアンテナ１０１，１０２、送信部１１１、第１、第２の受信部１２１、１２２、ベースバンド部１８４によりＡＧＣ制御、パスサーチを含めた復調処理、送信処理が行われるものである。
【０１１９】
本実施の形態では例えば３ＧＰＰ規格においてＨＳＤＰＡ（High  Speed  Data  Packet  Access）と呼ばれるベストエフォート型の通信で、受信装置側（本例では移動装置）より受信品質（ＣＱＩ：Channel  Quality  Indicatorと呼ばれる。３ＧＰＰ  TＳ25.2１4  V5.11.0に記載）を報告し、その受信品質で実現できる最も効率のよい変調方式、および符号化方式で通信が行なわれる（ＡＭＣ：Adaptive  Modulation and Codingと呼ばれる）ようなものに適用される。
【０１２０】
本実施の形態では、上述の実施の形態に対して、電源供給に関する制御が異なる。以下その動作について詳細に説明する。
【０１２１】
まず、本通信装置では、ベースバンド処理部１８４が第１のアンテナ１０１、第２のアンテナ１０２より受信された受信信号の受信品質を測定し、基地局装置にフィードバックするようなＣＱＩ信号を決定する。本処理は、最大比合成ダイバーシティを行っている場合には合成した後の受信信号品質からＣＱＩ信号を決定し、一方のアンテナのみを使用している場合には一方のアンテナのみの受信信号品質からＣＱＩ信号を決定する。
【０１２２】
ベースバンド処理部１８４からＣＱＩカウンタ部２０１へ第１のアンテナ１０１で受信された信号より求められたＣＱＩ信号を出力する。併せて、ＣＱＩカウンタ部に対してフィードバックするＣＱＩ信号としてとりうる最大値となった状態をカウントさせるか、最大値でない状態をカウントさせるかを設定する。
【０１２３】
ＣＱＩカウンタ部２０１ではベースバンド処理部１８４よりＣＱＩ信号を受け、最大値状態カウント設定であれば、最大値になった場合にはカウントを開始し、最大値でない状態を受けた場合にはカウントをリセットするような動作となる。これにより、何回連続でＣＱＩ信号が最大値となったかが得られる。
【０１２４】
また、非最大値状態カウント設定であれば、最大値でない状態を受けた場合にはカウントを開始し、最大値を受けた場合にはカウントをリセットするような動作となる。本動作により、何回連続で最大値でない状態であったかがカウントされる。
【０１２５】
本カウント結果はＣＱＩ電力供給決定部２１２に出力される。ＣＱＩ電力供給決定部２１２では図示されない制御線によりベースバンド処理部１８４から、受信品質基準値（閾値）が設定され、例えば受信品質基準値以上となった場合には“Ｈｉｇｈ”、受信品質基準値を超えていない場合には“Ｌｏｗ”をベースバンド処理部１８４へ出力する。例えば本閾値は“３”が設定される。
【０１２６】
ＣＱＩ電力供給決定部２１２からカウンタ比較結果を受けたベースバンド処理部１８４は、電源供給切換制御部１５１に電源供給切換制御要求信号を出力する。該電源供給切替制御要求信号は第１の実施の形態で説明したものと同様の信号でよい。
【０１２７】
また、該電源供給切換部制御要求信号を受け、電源供給切換制御部１５１では第１の実施の形態同様に、電源供給切換部制御信号を生成し、これを受けた電源供給切替部１７１は電源部１６１からの接続を導通／切断する。
【０１２８】
ベースバンド処理部１８４の受信部動作制御フローを図１４に示す。以下、図１４を用いて制御動作を説明する。本フローは電源起動状態であり、少なくとも受信は実施するという状態でのフローである。ここでは常に第１のアンテナ１０１に対応した受信部１２１は動作状態である。
【０１２９】
まず、本実施の形態では、第２のアンテナ１０２に対応した第２の受信部１２２が動作している状態かどうかについて判断を行ない（Ｓ３００２）、第２のアンテナ１０２に対応した第２の受信部１２２が動作していない状態である場合にはベースバンド処理部１８４は、ＣＱＩカウント部に対して、ＣＱＩが最大値でない場合にカウントを行なうよう設定を行なう（Ｓ３００３）。本状態はすなわち最大比合成ダイバーシティは実施せず、第１のアンテナ１０１に対応した受信部１２１のみ動作している状態を意味する。
【０１３０】
ベースバンド処理部１８４はＣＱＩカウント比較結果（図中C１としている）を入手し（Ｓ３００４）、比較結果の確認を行なう（Ｓ３００５）。比較結果が“Ｈｉｇｈ”であった場合、つまりＣＱＩ信号が最大値でない状態があらかじめ設定されたカウント数（本例では”３”）以上連続で続いた場合を意味する。よって品質が充分過剰である状態ではなく、最大比合成ダイバーシティを実施することでより安定してスループット向上が期待できる可能性があるため、上述と同様にして第２のアンテナ１０２に対応した受信処理を開始する（Ｓ３００６、Ｓ３００７）。本処理により最大比合成ダイバーシティ状態となり、結果よりよい品質で通信が実現できる。この後再度第２のアンテナ１０２に対応した受信動作状態確認に戻る（Ｓ３００２）。
【０１３１】
Ｓ３００５においてC１が“Ｌｏｗ”であった場合、ＣＱＩ信号が最大となる状態がときおり起こる状態であり、本例ではこの場合には現状の第１のアンテナ１０１に対応した受信部１２１のみからの受信を維持し、再度第２のアンテナ１０２に対応した受信動作状態確認に戻る（Ｓ３００２）。
【０１３２】
また、Ｓ３００２において第２のアンテナ１０２に対応する第２の受信部１２２が動作状態である場合、最大比合成ダイバーシティ状態であることから、ＣＱＩカウンタ部に対してベースバンド処理部１８４は、ＣＱＩが最大値である場合にカウントを行なうよう設定を行なう（Ｓ３００８）。
【０１３３】
ベースバンド処理部１８４はＣＱＩカウント比較結果（図中C１としている）を入手し（Ｓ３００９）、比較結果の確認を行なう（Ｓ３０１０）。比較結果が“Ｈｉｇｈ”であった場合、つまりＣＱＩ信号が最大値である状態があらかじめ設定されたカウント数（本例では“３”）以上連続で続いた場合を意味する。よって品質が充分過剰であるため、最大比合成ダイバーシティを実施せずとも安定した高スループットが期待できる可能性があるため、上述と同様にして第２のアンテナ１０２に対応した受信処理を停止する（Ｓ３０１１、Ｓ３０１２）。本処理により最大比合成ダイバーシティを停止し、低消費電力状態でよい品質での通信を維持することが可能となる。この後、再度第２のアンテナ１０２に対応した受信動作状態確認に戻る（Ｓ３００２）。
【０１３４】
Ｓ３０１０においてC１が“Ｌｏｗ”であった場合にはＣＱＩが常に最大値を維持している状態ではないため、最大比合成ダイバーシティを維持し、再度第２のアンテナ１０２に対応した受信動作状態確認に戻る（Ｓ３００２）。このようにして最大比合成大―バーシティを維持し続けることでスループットを最適に維持することが可能となる。
【０１３５】
本実施の形態を実施することで、ベストエフォート通信においてＣＱＩが最大値となっている状態では、最大比合成ダイバーシティを適用させることによりそれ以上品質を改善してもスループットは改善しないため、第２のアンテナ１０２に対応する受信動作は起動させない。本動作によりスループットを最大限維持しながらも不必要な場合には最大比合成ダイバーシティを停止させることで、低消費電力化が実現できる。
【０１３６】
本実施の形態は、上述の第１の実施の形態と想定している通信形態が異なるため、双方をともに実現することも可能である。さらに上述と同様にして送信状態と非送信状態で動作を切り替えることも可能となる。
【０１３７】
また、上述のＣＱＩ電力供給決定部２１２では最大値カウント時、および非最大値カウント時で同じ受信品質基準値（閾値）を利用したが、それぞれで受信品質基準値を変更することで、例えば上述の例について非最大値カウント時はより閾値を小さくし（例えば“１
”）、ＣＱＩが最大でない場合にはより高速に受信ダイバーシティ状態と切り替えることで、より安定して高スループット状態を維持することが可能となる。
【０１３８】
[第５の実施の形態]
上述の実施の形態では、受信信号品質、およびＣＱＩカウント値により最大比合成ダイバーシティとし、その後は受信信号品質の劣化、および最大値ＣＱＩカウント値が受信品質基準値（閾値）を超えることが起こらない限り最大比合成ダイバーシティを維持する動作としていた。
【０１３９】
しかし、実動作時には、最大比合成ダイバーシティに切り替えたものの、第２のアンテナ１０２に対応した受信信号品質がさほど良好でなく、期待した効果が得られない場合がある。
【０１４０】
本実施の形態は上述の課題の改良を試みたものである。
例えば、受信信号品質によりダイバーシティ受信を行なうかどうかを判別している、第１の実施の形態について改良を試みたものについて説明する。構成は図１と同様であり、一部ベースバンド処理部１８１の動作が異なる。
【０１４１】
以下、ベースバンド処理部１８１の動作について図１５を用いて説明する。
本実施の形態では非ダイバーシティ状態から最大比合成ダイバーシティに切り替えた場合についての発明であるため、第１の実施の形態で説明した制御フロー（図２）においてＳ０００６以降に処理が追加されることとなる。
【０１４２】
Ｓ０００６において、第２の受信部１２２に対応した受信処理が開始されるが、その際、パスサーチ処理が実施され、第２の受信部１２２からの受信信号に対してどのようなパスが検出され、最大比合成に使用されるかが判断される。
【０１４３】
併せて、得られている第１のアンテナ１０１からの受信信号に対してどの程度ダイバーシティ合成効果が得られるかが想定される（Ｓ４００１）。本結果を受け、あらかじめ定められた最大比合成ダイバーシティ効果が得られるかどうかを判定する。
【０１４４】
例えば、ここで１ｄＢ以下の効果しか得られないと判断されるような場合には、第２のアンテナ１０２に対応する受信処理を、上述と同様の処理により停止させる（Ｓ０００７、Ｓ０００８）。その際、供給電力決定部１４２において用いられる受信品質基準値（閾値）をΔ（例えば１ｄＢ）下げる（Ｓ４００３）ことにより、最大比合成ダイバーシティが必要と判断されにくくなるように制御する。
【０１４５】
本処理により第２のアンテナ１０２に対応した受信動作の開始／停止がトグルするような不具合を防ぐことができる。逆に効果が充分得られる場合には最大比合成ダイバーシティ状態とし、結果品質向上が実現されることとなる。その際、先のＳ４００３において受信品質基準値（閾値）を変更されている場合を考慮し、該閾値を元に戻しておく（Ｓ４００４）。
【０１４６】
このように最大比合成ダイバーシティを実施する前にパスサーチ結果からあらかじめ定められたダイバーシティ効果を確認することでダイバーシティ効果を得られない場合には受信部動作を１系統のみとさせることで受信品質を最大限維持いながら低消費電力化を図ることが可能となる。
【０１４７】
本処理は明らかに上述の第２、３、４の実施の形態とも組み合わせて実現することは可能である。
【０１４８】
上述の第１から第５の実施の形態では電源制御される受信部が１系統、合計２系統の受信部を有する通信装置について説明したが、電源制御される受信部を複数持つ場合にも同様の効果が得られ、本発明から逸脱するものではない。
また、第１のアンテナ１０１については送信と共用するような例を示したが、特に受信のみを考えても本発明を逸脱するものではない。
【０１４９】
ただし、一般にアンテナ２系統を移動装置に搭載する場合、同一構造のアンテナを２系統搭載することはサイズの問題で困難となる。よって一方のアンテナ（以下サブアンテナと称す）は簡易化されアンテナゲインが低いものが使用される。この場合、サブアンテナから送信を行おうとした場合、送信部を１系統とするとアンテナ切替用スイッチを介してサブアンテナから送信することとなり、最大送信電力の低下、およびアンテナ切替スイッチのためのサイズ増、ロス補償のためのゲイン増に伴う消費電力増などさまざまな問題が生ずる。
【０１５０】
よって、第１から第５の実施の形態で示したようにサブアンテナ（本実施の形態では第２のアンテナ１０２）でないアンテナ（本実施の形態では第１のアンテナ１０１）に送信部を固定させることで、課題が解決される。さらに供給電力決定部１４２において、第２のアンテナ１０２に対応する第２の受信部１２２の動作開始を判断する閾値と、動作を停止させる閾値を同じ値として記載したが、この値がそれぞれで異なっていてもよい。例えば開始と判断する場合の閾値を停止と判断する閾値と比較して高めに設定し、ヒステリシス構造とすることで受信品質が閾値近傍にあった場合、起動／停止が頻繁に起こり、トグル動作となるような動作を防止することが可能となる。
【０１５１】
また、第１から第５の実施の形態ではメインアンテナに加えてサブアンテナが１系統のみ存在する場合について説明したが、サブアンテナが複数あるような場合も本発明の範囲を逸脱するものではない。この場合、すべてのアンテナにより最大比合成ダイバーシティを行なってもよいし、一部のアンテナを利用して最大比合成ダイバーシティを実現してもよい。また、選択ダイバーシティにおいては、どのアンテナを利用してもよいため、アンテナ１系統により受信品質が維持できる確率が向上することが期待できるので、低消費電力効果がより期待される。
【０１５２】
また、上述の第１から第５の実施の形態では、受信部への電源供給を完全に停止するという場合を示したが、例えば受信部内部にメモリ等を含んでおり、メモリ部の電源についてのみは別制御がなされ、例えば、通信装置としての電源がオフされる場合以外は常時電源供給されるといった制御も想定されるが、このように一部電源供給されているような状態も本発明を逸脱するものではない。
【０１５３】
また、第１、２、３、および第５の実施の形態における受信品質比較部で使用される閾値について説明する。一般的に移動装置では画面に受信品質を表す指標としてアンテナ表示が用いられている。よって使用する閾値として該アンテナ表示を切り替える閾値を共用してもよい。これにより、内部パラメータを共有化でき、メモリ削減が可能となる。
【０１５４】
また、受信品質比較部で使用される閾値を適応的に変更することも可能となる。例えば、送信状態かつDedicated（個別）チャネル通信での通信状態である場合、上述のように下り送信において送信電力制御が適応されているため、閾値は誤り率特性が充分とれるであろうと想定される受信品質閾値よりも高めに設定されている必要があるが、共通チャネルによる通信では下り送信電力制御が適用されないため、高めに設定する必要はない。よって共通チャネル通信時には閾値を受信品質から考慮した値とし、Dedicatedチャネルによる通信時に比べて低めに設定することで、最大比合成ダイバーシティ動作を適用する率が下がるため、結果的に低消費電力化が図れる。
【０１５５】
さらに、供給電力決定部１４２は、間欠受信時（移動装置において一般的な低消費電力動作時）にはより閾値を低くし、より双方の受信部が起動している時間をより短縮化でき、より低消費電力化となり、待ち受け時間の長時間化が実現できる。
【０１５６】
供給電力決定部１４２は、閾値の異なる複数の決定方法を持っており、方法選択部１４１は、移動速度検出部を有し、移動速度検出部で検出した移動速度に応じた決定方法の使用を、供給電力決定部１４２に指示する構成とすることができる。また、移動速度に応じて閾値を変更することも可能である。例えば、自通信装置（上記実施の形態における通信装置１００Ａ〜１００Ｄ）の移動速度を測定可能な移動速度検出部を有し、前記供給電力決定部１４２は、前記移動速度検出部から得られる移動速度が高速のときの前記受信品質基準値を、移動速度が低速のときの前記受信品質基準値以上の値に変更するようにする（受信品質がより良好な状態で最大比合成ダイバーシティ動作とするように変更する）ことで、高速なレベル変動に、受信品質測定が追従できず、急な受信品質落ち込み時にダイバーシティ切替が間に合わないといった問題が解決でき、安定した通信が可能となる。
【０１５７】
さらに、一般的にＷ−ＣＤＭＡ通信方式ではSintrasearch、Sintersearchと呼ばれるパラメータが定義される。本パラメータは待受け等の間欠動作時に利用されるもので、Sintrasearchを利用して得られる閾値Thintraを用いて、受信品質（例えばＣＰＩＣＨ＿Ｅｃ_Ｉｏ）が該閾値よりも高ければ充分な品質が得られていることから、基地局装置近傍にいると判断し、周辺セルサーチ、周辺セルレベルのモニタを行わずにより低消費電力化が図れるというものである。同様にしてSintersearch を利用して得られる閾値Thinterを用いて受信品質（例えばＣＰＩＣＨ＿Ｅｃ_Ｉｏ）が該閾値よりも高ければ異周波数のセルサーチ、レベルモニタは行わないというものである。これらはともに基地局装置を介してネットワークから指定されるものである。
【０１５８】
上記受信品質比較部で使用される閾値として該Sintrasearch、Sintersearchのどちらかを利用してもよい。これにより、内部パラメータを共有化でき、メモリ削減が可能となり、また、ネットワークから指定できるパラメータであるため、ネットワークにより、より受信ダイバーシティ適用による基地局送信電力削減効果を得たい場合には本パラメータをより低く制御する等が可能となる。
【０１５９】
一般的にSintrasearchは、Sintersearchと比較して高めに設定されており、上述の基地局送信電力削減効果を考慮するとSintrasearchを使用する方がより最適と言える。もちろん該パラメータを使用するということが、該受信品質測定部の平均化期間と、周辺セルサーチ起動時に使用する受信品質を求める際の平均化時間とを必ずしも共通化させるという意味ではない。アンテナ表示に関連する閾値を利用する場合でも同様である。
【０１６０】
また受信品質に使用する情報として本実施の形態ではＥｃ／Ｉｏを用いたが、ＲＳＳＩ（受信電界強度）、パスロス（基地局送信信号から受信電力を差し引いたもの）など、どちらを用いても本発明の範囲を外れるものではない。
【０１６１】
また、上記第１、２、３および第５の実施の形態における受信品質比較部において、該受信品質測定結果が閾値以上の場合には論理信号として“Ｈｉｇｈ”、未満の場合には“Ｌｏｗ”が出力される例を示したが、閾値より大きい場合に“Ｈｉｇｈ”、閾値以下の場合には“Ｌｏｗ”が出力されるような場合でも本発明の範囲を逸脱するものではない。
【図面の簡単な説明】
【０１６２】
【図１】本発明の第１の実施の形態に係る移動装置のブロック図である。
【図２】本発明の第１の実施の形態に係るベースバンド処理部のフローチャートである。
【図３】本発明の第２の実施の形態に係る移動装置のブロック図である。
【図４】本発明の第２の実施の形態に係るベースバンド処理部のフローチャートである。
【図５】本発明の第２の実施の形態に係るベースバンド処理部のフローチャート、特に非送信状態における第１のアンテナに関する受信系のみが動作している場合のフローチャートである。
【図６】本発明の第２の実施の形態に係るベースバンド処理部のフローチャート、特に非送信状態における第２のアンテナに関する受信系のみが動作している場合のフローチャートである。
【図７】本発明の第２の実施の形態に係るベースバンド処理部のフローチャート、特に送信状態におけるフローチャートである。
【図８】本発明の第３の実施の形態に係る移動装置のブロック図である。
【図９】本発明の第３の実施の形態に係るベースバンド処理部のフローチャートである。
【図１０】本発明の第3の実施の形態に係るベースバンド処理部のフローチャート、特に非送信状態における第１のアンテナに関する受信系のみが動作している場合のフローチャートである。
【図１１】本発明の第３の実施の形態に係るベースバンド処理部のフローチャート、特に非送信状態における第２のアンテナに関する受信系のみが動作している場合のフローチャートである。
【図１２】本発明の第３の実施の形態に係るベースバンド処理部のフローチャート、特に送信状態におけるフローチャートである。
【図１３】本発明の第４の実施の形態に係る移動装置のブロック図である。
【図１４】本発明の第４の実施の形態に係るベースバンド処理部のフローチャートである。
【図１５】本発明の第５の実施の形態に係るベースバンド処理部のフローチャートである。
【符号の説明】
【０１６３】
１００Ａ、１００Ｂ、１００C、１００Ｄ  通信装置
１０１，１０２  アンテナ
１１１  送信部
１２１、１２２  受信部
１３１、１３２  受信品質測定部
１４１、１４３、１４５  方法選択部
１４２、１４４、１４６  供給電力決定部
１５１、１５２  電源供給切替制御部
１６１  電源部
１７１、１７２  電源供給切替制御部
１８１、１８２、１８３、１８４  ベースバンド処理部
【図１】
2009033532.tif 000003
【図２】
2009033532.tif 000004
【図３】
2009033532.tif 000005
【図４】
2009033532.tif 000006
【図５】
2009033532.tif 000007
【図６】
2009033532.tif 000008
【図７】
2009033532.tif 000009
【図８】
2009033532.tif 000010
【図９】
2009033532.tif 000011
【図１０】
2009033532.tif 000012
【図１１】
2009033532.tif 000013
【図１２】
2009033532.tif 000014
【図１３】
2009033532.tif 000015
【図１４】
2009033532.tif 000016
【図１５】
2009033532.tif 000017